(57)【要約】【課題】本発明は洗濯物を収容した通気性の洗濯物収容袋を洗濯物乾燥機の回転ドラム内に収納して、洗濯物を強い皺を生じることなく乾燥することを可能にすることを目的とする。【解決手段】水平軸周りに回転する回転ドラム３と、複数の取付具２１，２２を有し、乾燥すべき洗濯物を収容する通気性の洗濯物収容袋１７と、前記回転ドラム３内に取り付けられる複数の保持具１３，１４と、を備え、前記保持具１３，１４は、前記取付具２１，２２を係止して、複数の前記洗濯物収容袋１７を前記回転ドラム３内部に、前記洗濯物収容袋１７が拡張した状態で、保持することを特徴とする洗濯物乾燥機。【選択図】図３
2010022616.tif 000002
【特許請求の範囲】
【請求項１】
水平軸周りに回転する回転ドラムと、
複数の取付具を有し、乾燥すべき洗濯物を収容する通気性の洗濯物収容袋と、
前記回転ドラム内に取り付けられる複数の保持具と、
を備え、
前記保持具は、前記取付具を係止して、複数の前記洗濯物収容袋を前記回転ドラム内部に、前記洗濯物収容袋が拡張した状態で、保持することを特徴とする洗濯物乾燥機。
【請求項２】
請求項１に記載の洗濯物乾燥機において、
前記複数の保持具は、前記回転ドラムの一端の開口端近傍に取り付けられた複数の第1の保持具と、前記第1の保持具から前記回転ドラム水平軸方向に所定距離離れた所定位置に取り付けられた複数の第2の保持具とを含み、
前記第1の保持具と前記第2の保持具は、前記洗濯物収容袋が前記所定距離の間で延在するように、前記洗濯物収容袋を保持することを特徴とする洗濯物乾燥機。
【請求項３】
請求項２に記載の洗濯物乾燥機において、
前記所定位置は、前記回転ドラムの他方端の近傍であることを特徴とする洗濯物乾燥機。
【請求項４】
請求項２に記載の洗濯物乾燥機において、
前記回転ドラムは、前記開口端付近に設けられた複数の第１の支柱部材と、前記所定位置付近に設けられた複数の第２の支柱部材とを有し、
前記第１の支柱部材と前記第２の支柱部材の各々は、その末端が前記回転ドラムの内周壁に取り付けられ、その先端が前記回転ドラムの横断面中心付近に位置し、
複数の前記第１の保持具は、前記回転ドラムの内周壁に取り付けられる共に前記第１の支柱部材の先端付近に取り付けられ、
複数の前記第２の保持具は、前記回転ドラムの内周壁と前記第２の支柱部材の先端付近とに夫々取り付けられることを特徴とする洗濯物乾燥機。
【請求項５】
請求項４に記載の洗濯物乾燥機において、
前記第１の支柱部材は、それらの末端付近で折曲可能であり、折曲状態で前記ドラム水平軸にほぼ平行になることを特徴とする洗濯物乾燥機。
【請求項６】
請求項４に記載の洗濯物乾燥機において、
前記複数の第１の支柱部材は、夫々の先端が前記回転ドラムの横断面中心付近において、互いに連結されていることを特徴とする洗濯物乾燥機。
【請求項７】
請求項２に記載の洗濯物乾燥機において、
前記回転ドラムは、その内部に着脱可能に装着された複数のフレーム構造体を有し、
前記複数のフレーム構造体の各々は、内部空間を有する枠形状であり、
前記保持具は、前記フレーム構造体に取り付けられ、
前記保持具は、前記洗濯物収容袋を各フレーム構造体の前記内部空間に、前記洗濯物収容袋が拡張した状態で、保持することを特徴とする洗濯物乾燥機。
【請求項８】
請求項７に記載の洗濯物乾燥機において、
前記複数のフレーム構造体は、前記回転ドラム内部に装着されたときに、前記回転ドラムの前記開口端を複数に区画するように、互いに並置されることを特徴とする洗濯物乾燥機。
【請求項９】
請求項７に記載の洗濯物乾燥機において、
前記フレーム構造体は、その横断面が縮小するように、折り曲げ可能であることを特徴とする洗濯物乾燥機。
【発明の詳細な説明】
【技術分野】
【０００１】
本発明は、洗濯物乾燥機に係り、特に、洗濯物を回転ドラムに投入し、その回転ドラム内部に通風して洗濯物を乾燥する回転ドラム式の洗濯物乾燥機に関する。
【背景技術】
【０００２】
病院や介護施設などでは、入院患者や入所者はパジャマや下着などの私物の洗濯物の洗濯を外部の洗濯業者に委託することができる。この洗濯業者は、患者などの洗濯依頼者に、依頼者名が付されたネット製の洗濯物袋を配布し、洗濯依頼者は、私物洗濯物をその袋に入れて、洗濯業者に引き渡す。洗濯業者は、洗濯物を袋に入れた状態で、洗濯、脱水、乾燥を行い、その後に洗濯物を依頼者に納品する。
これにより、或る依頼者からの洗濯物に他の依頼者からの洗濯物を混入してしまうことなしに、依頼者に返却することができる。
しかしながら、洗濯物を小さな袋に入れた状態で乾燥を行うと、その洗濯物に強い皺が残ってしまうという問題がある。
【０００３】
この問題を解決した回転ドラム式の洗濯物乾燥機が提案されている（特許文献１）。
この洗濯物乾燥機は、その回転ドラムを複数の隔壁によって複数の小室に区画されている。洗濯業者は、それらの小室を洗濯依頼者毎に割り当てて、或る洗濯依頼者の洗濯物を洗濯物袋から取り出してその洗濯物袋と一緒に、割り当てられた小室に投入する。洗濯物は、回転ドラムの小室内で乾燥された後に、小室から取り出され、再度洗濯物袋に入れて、洗濯依頼者に返却される。
洗濯物は、洗濯物袋から取り出されて、小室内で乾燥されるので、強い皺が残ることはない。
【０００４】
【特許文献１】特開２００２−４５５９６号公報
【発明の開示】
【発明が解決しようとする課題】
【０００５】
しかしながら、特許文献１に記載された洗濯物乾燥機は、洗濯物を乾燥させる際に、洗濯物を洗濯物袋から取り出してその洗濯物袋と共に、回転ドラムの小室内に投入し、乾燥後に、小室から取り出して、再度袋に入れることが必要であり、従って作業効率が非常に悪くなるといった問題がある。
【課題を解決するための手段】
【０００６】
請求項１の洗濯物乾燥機は、水平軸周りに回転する回転ドラムと、複数の取付具を有し、乾燥すべき洗濯物を収容する通気性の洗濯物収容袋と、前記回転ドラム内に取り付けられる複数の保持具と、を備え、前記保持具は、前記取付具を係止して、複数の前記洗濯物収容袋を前記回転ドラム内部に、前記洗濯物収容袋が拡張した状態で、保持する。
【発明の効果】
【０００７】
本発明によれば、洗濯物は洗濯物収容袋に収容された状態で、乾燥されるので、作業性を向上することができる。
【発明を実施するための最良の形態】
【０００８】
――第１の実施の形態――
以下に、本発明の第１の実施の形態を図１乃至図５に基づき説明する。
【０００９】
図１及び図２において、洗濯物乾燥機１は、ハウジング２内に回転ドラム３が水平軸Hのまわりに回転可能に配置されている。この回転ドラム３は、ステンレス鋼製の多孔筒であり、左右端３a、３ｂが開口している。なお、上記の水平軸Hは、回転ドラム３の横断面の中心を通る仮想中心軸である。
回転ドラム３の外周壁には左右両端に、断面がL字形状の駆動リング４，５が夫々固着されている。これらの駆動リング４，５の各々には、一対のゴムローラー６，６が当接し、これらのゴムローラー６，６は、駆動リング４，５を介して回転ドラム３を水平軸Hまわりに回転駆動する。
【００１０】
回転ドラム３の外周囲には、それを取り囲むようにかつ僅かな間隔を隔てて、外胴７が設けられ、この外胴７には上部と下部とに夫々空気入口７aと空気出口７bとが開口している。図示なきヒーターによって加熱された温風が矢印Aで示したように空気入口７aを通って、回転ドラム３の多孔の周壁からその内部に流入し、そこを通過して空気出口７bから流出する。
また、回転ドラム３の内周壁には、4個のバッフル又は桟８が９０°間隔で突設されている。これらの桟８は、回転ドラム３の水平軸Hに平行に回転ドラム３の全長に、即ち、回転ドラム３の左開口端３aから右開口端３bまで、延在している。
しかしながら、これらの桟８は図２には、図の複雑さを避けるために省略されている。
図２に示したように、ハウジング２には洗濯物投入用の前扉９が設けられ、この前扉９は回転ドラム３の左側開口３aに対向している。
【００１１】
図3及び図4は、回転ドラム３の横断面図と側面断面図である。
なお、この図３及び図４は、後述の洗濯物収容袋が回転ドラム内部に保持されている状態を示している。
図３及び図４において、回転ドラム３の内周壁には、４個の支柱部材１１が回転ドラム３の横断面の中心に向かって突設されている。具体的には、支柱部材１１は、その末端部１１aが駆動リング４に固定され、その先端部１１bが上記横断面中心付近に位置している。
これらの4個の支柱部材１１は、図４に示したように回転ドラム３の左側開口端３aの近傍に配置されている。
回転ドラム３の右側開口端３bの近傍にも同様の4個の支柱部材１２が配置されている。これらの支柱部材１２もその末端部で駆動リング５に固定されている。
なお、図1及び図２には、支柱部材１１、１２の図示は、図の複雑さを避けるために、省略されている。
【００１２】
支柱部材１１について、図3を用いて更に詳細に説明する。
支柱部材１１は、前述のようにその末端部１１aにおいて駆動リング４に取り付けられ、この末端部１１aには、一対のフック１３，１３が突設され、これらの一対のフック１３，１３は桟８の両側部に位置している。
支柱部材１１は、その末端部１１a付近で回転ドラム３の内部の方に、ほぼ直角に折曲げ可能であり、図４に破線で示したように折曲げ状態では回転ドラム３内部で水平軸Hに平行になる。
また、４個の支柱部材１１は、直立状態では、先端部１１bが回転ドラム横断面中心付近において、図示なき手段によって互いに結合される。この結合によって、４個の支柱部材１１は直立状態に互いに保持される。
図３において水平に延在する２個の支柱部材１１の先端部１１bには夫々、一対のフック１４，１４が取り付けられている。
【００１３】
前述のように、回転ドラム３の右側開口端付近にも４個の支柱部材１２が突設されており、これらの4個の支柱部材１２は、前記の支柱部材１１とほぼ同一構成であり、末端部にはフック１５が取り付けられ、先端にはフック１６が取り付けられている。
支柱部材１１と支柱部材１２との相違点は、支柱部材１１が折り曲げ可能であるが、支柱部材１２が折り曲げ不可能である点である。
以降では、両支柱部材を区別する為に、支柱部材１１を第1の支柱部材と、支柱部材１２を第2の支柱部材と、夫々称する。
なお、フック１３、１５は、夫々、支柱部材１１，１２の末端部に取り付けられているが、これらの支柱部材１１，１２は、回転ドラム３の内壁（具体的には駆動リング４，５）に取り付けられているので、結果的にフック１３、１５も回転ドラム３に取り付けられていることになる。
【００１４】
図５は、洗濯物収容袋１７を示した斜視図である。洗濯物収容袋１７はネット又はメッシュ状の生地１８から構成され、外周囲が補強材１９で補強されている。袋１７の上部にはファスナー２０が設けられ、このファスナー２０を開放することによって、内部に洗濯物を収容する。なお、ネット状の生地１８の材料としては、例えばポリエステルやテトロン等の耐熱性に優れた材料が望ましい。
【００１５】
洗濯物収容袋１７のほぼ三角形の横断面の底辺の左右端には、ループ状の取付具２１、２１が取り付けられ、三角形の頂点にも同様のループ状取付具２２が取り付けられている。
このようなループ状取付具２１，２１，２２は、洗濯物収容袋１７の前方端部と後方端部とに設けられている。従って、この洗濯物収容袋１７は合計６個の取付具２１、２２を有する。
なお、洗濯物収容袋１７の前方端から後方端までの長さLは、回転ドラム３の水平軸H方向の長さにほぼ等しく定められている。
また、洗濯物収容袋１７は図示なきタグを有し、このタグには洗濯依頼者の氏名などが記載される。
【００１６】
次に、この洗濯物乾燥機の動作を説明する。
まず、洗濯業者は、病院の入院患者や介護施設等の入所者に洗濯物収容袋１７を配布する。入院患者などの洗濯依頼者は、ファスナー２０を開けて、その洗濯物収容袋１７に私物の洗濯物を収容して、洗濯業者に引き渡す。
洗濯業者は、洗濯依頼者の私物洗濯物を洗濯物収容袋１７に収容した状態で、洗濯及び脱水を行う。その後、洗濯業者は、図２において洗濯物乾燥機１の前扉９を開放し、洗濯物収容袋１７を洗濯物乾燥機１の回転ドラム３の内部に収納する。
【００１７】
この洗濯物収容袋１７の収納は、次のように行われる。
洗濯物収容袋１７の後方端のループ状の取付具２１、２１を回転ドラム３内部の奥に位置する第２の支柱部材１２の末端部のフック１５，１５に引っ掛け、ループ状取付具２２を第２の支柱部材１２の先端部のフック１６に引っ掛ける。
なお、このような取付具２１，２２のフック１５，１６への引っ掛け作業は、第１の支柱部材１１が図４に破線で示したように折り曲げられた状態の下で、行われるので、第１の支柱部材１１が引っ掛け作業の邪魔になることはない。
【００１８】
その後に、洗濯物収容袋１７の前方端のループ状取付具２１，２１を第１の支柱部材１１の末端部のフック１３，１３に引っ掛け、同様に、ループ状取付具２２を第１の支柱部材１１の先端部のフック１４に引っ掛ける。
こうして、洗濯物収容袋１７が６個の取付具２１，２２によって回転ドラム３の内部に保持される。
同様にして、残りの３個の洗濯物収容袋１７が回転ドラム３内部に収納される。
もちろん、４個の支柱部材１１は、この時には直立され、それらの先端部分１１bにおいて図示なき手段によって互いに結合されている。
【００１９】
前扉９が閉止された後に、回転ドラム３が回転駆動されると共に、温風が回転ドラム３の内部に送風され、通気性の洗濯物収容袋１７を流通して、内部の洗濯物を乾燥させる。
洗濯物収容袋１７は、その長さLが前述のように回転ドラムの全長にほぼ等しく選定され、かつ前後端の取付具２１，２１、２２によって保持されるので、ネット生地１８が拡張、又は膨張した状態で、保持されており、この状態で洗濯物収容袋１７内の洗濯物の乾燥が行われる。従って、洗濯物は強い皺などが残ることなく、効率良くかつ迅速に乾燥される。
【００２０】
乾燥が終了すると、前扉９を開放して、洗濯物収容袋１７の取付具２１，２２をフック１３，１４，１５，１６から外し、洗濯物収容袋１７を回転ドラム３から取り出す。
こうして、乾燥が終了した洗濯物は、洗濯物収容袋１７に入れられたままで、又は、そこから取出してから、洗濯依頼者に返却される。
【００２１】
この第１の実施の形態による洗濯物乾燥機にあっては、洗濯物収容袋１７の長さLは、回転ドラムの全長にほぼ等しく定めたが、洗濯物収容袋１７の長さLは、必ずしもこれに限る必要はなく、回転ドラム３の全長よりももっと短く定めることもできる。
この場合には、第１の支柱部材１１と第２の支柱部材１２との間隔を上記洗濯物収容袋１７の長さLに合わせて調整する。
【００２２】
また、第１の実施の形態の洗濯物乾燥機にあっては、フック１３，１４，１５，１６は、洗濯物収容袋１７のループ状の取付具２１，２２が引っ掛けられ、これによって、これらのフック１３，１４，１５，１６は洗濯物収容袋１７を回転ドラム３の内部に保持する保持具としての機能を果たしている。
このような保持具としての機能を果たすためには、フックは、鉤形状に限らず、種々の形状または構成をとることができるものである。
【００２３】
上述した第１の実施の形態による洗濯物乾燥機によれば、次の作用効果が得られる。
複数の洗濯物収容袋１７が、夫々洗濯物を収容した状態で、回転ドラム３内に収納されて乾燥されるので、複数の洗濯物収容袋１７の間で、或る洗濯依頼者の私物洗濯物が他の洗濯依頼者の洗濯物に混入することを確実に防止することができる。
洗濯物収容袋１７は、中に洗濯物を収容した状態で、洗濯、脱水、乾燥が行われるので、洗濯から乾燥までの全工程において或る洗濯依頼者からの洗濯物が他の洗濯依頼者の洗濯物に混入してしまうことを防ぐことができる。
洗濯物乾燥機は、洗濯物収容袋１７を保持した状態で乾燥を行う専用機として使用することもできるし、専用機としてではなく、洗濯物をそのまま、回転ドラム３に投入した場合には、回転ドラム３の回転によって桟８により洗濯物を攪拌しながら、乾燥を行う通常の洗濯物乾燥機として使用することもできる。
【００２４】
――第２の実施の形態――
次に本発明の第２の実施の形態の洗濯物乾燥機を図６乃至図１０に基づき説明する。
図６は、折り畳んだ状態のフレーム構造体３０を示した斜視図であり、図７は拡張した状態のフレーム構造体３０を示した斜視図である。
図６及び図７において、内部に洗濯物収容袋を保持するためのフレーム構造体３０は、第１のロッド乃至第５のロッド５１，５２，５３，５４，５５から構成されるリンク機構と、第６のロッド乃至第１０のロッド６１，６２，６３，６４，６５から構成されるリンク機構とを有する。
第１のロッド５１の一端部と第２のロッド５２の一端部が、第１の連結ロッド７１によって連結され、第１のロッド５１の他端部と第３のロッド５３の一端部が、第２の連結ロッド７２によって連結され、第２のロッド５２の他端部と第４のロッド５４の一端部が、第３の連結ロッド７３によって連結されている。同様に、第３のロッド５３の他端部と第５のロッド５５の一端部が、第４の連結ロッド７４によって連結され、第４のロッド５４の他端と第５のロッド５５の他端部が、連結ピン７５によって連結されている。
【００２５】
第４のロッド５４は、第８図に示したように、入れ子式に接続された一対のロッド５４aと５４bとから構成され、これらの一対のロッド５４a、５４bは、内部にスプリング５４cを内蔵する。このような構成によって、第４のロッド５４は、伸縮自在であり、通常はスプリング５４cのバネ力によって伸長している。
【００２６】
第６〜第１０のロッド６１、６２、６３、６４、６５は、第１〜第５のロッド５１，５２，５３，５４，５５と同一構成であり、第１〜第４の連結ロッド７１、７２，７３，７４などによって、連結されている。また、第９のロッド６４は、第4のロッド５４と同様の構成によって、伸縮自在である。
また、第４のロッド５４と第９のロッド６４は結合ロッド７６によって結合され、第５のロッド５５と第１０のロッド６５は結合ロッド７７によって結合されている。
【００２７】
フレーム構造体３０は、更に洗濯物収容袋を保持する為の12個のフック８１、８２，８３，８４，８５，８６，８７，８８、８９，９０，９１，９２を備える。フック８１，８２、８３、８４は、夫々第１〜第４の連結ロッド７１，７２，７３，７４の一端部が第１〜第５のロッド５１，５２，５３，５４，５５を貫通して突き出た先端がフックとして機能するものである。
同様に、フック８５，８６、８７、８８は、夫々第１〜第４の連結ロッド７１，７２，７３，７４の他端部が第６〜第１０のロッド６１，６２，６３，６４，６５を貫通して突き出た先端がフックとして機能するものである。
残りのフック８９，９０，９１，９２は、夫々、連結ロッド７１，７２，７３，７４の中間部分に取り付けられている。
【００２８】
フレーム構造体３０は、図６に示したように第４のロッド５４と第５のロッド５５とを折り畳んだ状態にすると、横断面が非常に小さくなる。他方、フレーム構造体３０は、図６の折り畳み状態の第４のロッド５４と第５のロッド５５とを下方に押し下げると、図７に示したように横断面が拡大した拡張状態になり、この拡張状態では横断面形状がほぼ台形状になる。
フレーム構造体３０は、枠構造であり、図７に示したように横断面が拡大した拡張状態では枠内に大きな内部空間が形成される。
以上のような構成のフレーム構造体３０は、合計４個用意される。
【００２９】
図９は、フレーム構造体３０に保持される洗濯物収容袋１００を示した斜視図であり、洗濯物収容袋１００は図５の洗濯物収容袋１７と実質的に同一であるが、洗濯物収容袋１７の６個のループ状取付具よりも多い１２個のループ状の取付具１０１、１０２，１０３を備える。
４個のループ状取付具１０１は、洗濯物収容袋１００の前面部に取り付けられ、４個のループ状取付具１０２は、洗濯物収容袋１００の中間部に取り付けられ、残りの４個のループ状取付具１０３は、洗濯物収容袋１００の後面部に取り付けられている。
４個のループ状取付具１０１は、フレーム構造体３０のフック８１〜８４に引っ掛けられ、４個のループ状取付具１０２は、フック８９〜９２に引っ掛けられ、４個のループ状取付具１０３は、フック８５〜８８に引っ掛けられる。
【００３０】
洗濯物収容袋１００は、フレーム構造体３０の内部空間に収納されて、１２個のループ状取付具１０１，１０２，１０３をフック８１〜９２に引っ掛けることによって、フレーム構造体３０に保持される。
その後に、フレーム構造体３０は、図６に示したように、縮小横断面の折り畳み状態で、図１０に示すように回転ドラム３の内部に挿入される。それから、折り畳み状態の第４及び第５のロッド５４，５５を下方に押し下げながら拡げると、第２のロッド５２と第３のロッド５３との下端部が桟８の側面に当接すると同時に、第４ロッド５４と第５のロッド５５との連結部が回転ドラム３の内壁に当接する。
この時、第９のロッド６４や第１０のロッド６５は、結合ロッド７６，７７によって第２のロッド５４と第３のロッド５５に結合しているので、第２のロッド５４や第３のロッド５５の移動に追随する。
【００３１】
こうして、フレーム構造体３０は、洗濯物収容袋１００を保持した状態で、回転ドラム３の内部に確実にしっかりと装着される。
残りの３個のフレーム構造体３０も洗濯物収容袋１００を保持した状態で、同様に回転ドラム３に装着される。
なお、図１０は３個のフレーム構造体３０が回転ドラム３の内部に既に装着されており、残りの１個のフレーム構造体３０が装着途中の状態であることを示している。
【００３２】
このように、洗濯物収容袋１００は、フレーム構造体３０にしっかりと収納された状態で、回転ドラム内部に保持される。この保持は、洗濯物収容袋１００が小さく折り畳められた状態ではなく拡張かつ膨張した状態で、行われる。
この後に、第１の実施の形態の洗濯物乾燥機と同様に、回転ドラム３が回転すると共に、温風がこの回転ドラム内部に送風され、洗濯物収容袋１００内の洗濯物を乾燥する。
【００３３】
乾燥終了後に、フレーム構造体３０を折り畳み状態にして回転ドラム３から取り出す。
そして、この取り出したフレーム構造体３０から洗濯物収容袋１００を取り外す。
【００３４】
この第２の実施の形態の洗濯物乾燥機にあっては、フック８１〜９２は、フレーム構造体３０に直接取り付けられているが、このフレーム構造体３０は回転ドラム３にしっかりと装着されるので、この装着状態にあっては、フック８１〜９２は、結果的に回転ドラム３内に取り付けられていることになる。
【００３５】
上述した第２の実施の形態によれば、次の作用効果が得られる。
フレーム構造体３０は、回転ドラム３の内部に着脱可能であり、従って、フレーム構造体３０を回転ドラム３から取り出した状態で、洗濯物収容袋１００をそのフレーム構造体に取り付けることができ、その取付作業が大変簡便になる。
フレーム構造体３０は、横断面が縮小するように、折り畳み可能であるので、回転ドラム３への装着及びそこからの取出しが容易であり、上記の洗濯物収容袋１００のフレーム構造体３０への取付作業の簡便性と相俟って、洗濯物収容袋の回転ドラム内部への収納の作業性が大幅に向上する。
洗濯物収容袋１００は、その前面部と中間部と後面部との三箇所に、フック８１〜９２を備え、これらのフックによって、フレーム構造体３０に保持される。
従って、洗濯物収容袋１００は、メッシュ生地が大きく拡張、又は膨張した状態で、フレーム構造体３０に保持され、この状態を保ったまま、回転ドラム３内部に収納される。
これによって、回転ドラム３内部で、温風が洗濯物収容袋内の洗濯物全体に当たり、乾燥時間が短縮化されると共に、皺の発生を防止することができる。
【００３６】
次のような変形も本発明の範囲内であり、変形例の一つ、もしくは複数を上述の実施形態と組み合わせることも可能である。
（１）第１の実施形態の洗濯物乾燥機も第２の実施形態の洗濯物乾燥機も、洗濯物収容袋を回転ドラムに４個収納することができるものであったが、この洗濯物収容袋の数は４個に限ることはなく、２個でも３個でも更には５個以上であってもよい。
【００３７】
本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００３８】
【図１】本発明の第１の実施の形態の洗濯物乾燥機を示す横断面図。
【図２】本発明の第１の実施の形態の洗濯物乾燥機を示す側面断面図。
【図３】本発明の第１の実施の形態の洗濯物乾燥機の回転ドラムを示す横断面図。
【図４】本発明の第１の実施の形態の洗濯物乾燥機の回転ドラムを示す側面断面図。
【図５】本発明の第１の実施の形態の洗濯物乾燥機の洗濯物収容袋を示す斜視図。
【図６】本発明の第２の実施の形態の洗濯物乾燥機のフレーム構造体を示す斜視図であって、折り畳み状態を示した図。
【図７】本発明の第２の実施の形態の洗濯物乾燥機のフレーム構造体を示す斜視図であって、拡張状態を示した図。
【図８】本発明の第２の実施の形態の洗濯物乾燥機のフレーム構造体の伸縮自在なロッドを詳細に示す断面図。
【図９】本発明の第２の実施の形態の洗濯物乾燥機の洗濯物収容袋を示す斜視図。
【図１０】本発明の第２の実施の形態の洗濯物乾燥機の回転ドラムを示す横断面図。
【符号の説明】
【００３９】
１…洗濯物乾燥機、３…回転ドラム、１３，１４，１５，１６…フック、
１７…洗濯物収容袋、２１，２２…取付具、８１〜９２…フック、
１００…洗濯物収容袋、１０１、１０２，１０３…取付具
【図１】
2010022616.tif 000003
【図２】
2010022616.tif 000004
【図３】
2010022616.tif 000005
【図４】
2010022616.tif 000006
【図５】
2010022616.tif 000007
【図６】
2010022616.tif 000008
【図７】
2010022616.tif 000009
【図８】
2010022616.tif 000010
【図９】
2010022616.tif 000011
【図１０】
2010022616.tif 000012